(57)【要約】【課題】光ヒューズによって漏れ出た光サージに対し、受信側の回路における損傷を防止する。【解決手段】光ヒューズと、光減衰器とを、この順序で光の伝播経路に沿って備える。【選択図】図１
2010165860.tif 000002
【特許請求の範囲】
【請求項１】
光ヒューズと、光減衰器とを、この順序で光の伝播経路に沿って備えることを特徴とする光インタフェース装置。
【請求項２】
前記光ヒューズの手前の伝播経路中に他の光減衰器をさらに備えることを特徴とする請求項１記載の光インタフェース装置。
【請求項３】
前記光減衰器の先の伝播経路中に他の光ヒューズをさらに備えることを特徴とする請求項１記載の光インタフェース装置。
【請求項４】
請求項１乃至３のいずれか一に記載の光インタフェース装置を光送信装置と光受信装置との間に備える光伝送システム。
【発明の詳細な説明】
【技術分野】
【０００１】
本発明は、光インタフェース装置に係り、特に、光を遮断することのできる光インタフェース装置に係る。
【背景技術】
【０００２】
長距離大容量光通信システムにおいては、伝送距離を伸ばすため、送信する信号光を直接光増幅する希土類元素ドープ光ファイバ増幅器が使われる。このようなシステムで希土類元素ドープ光ファイバ増幅器に信号光が入力されていない状態から、信号光が入力された状態に変化する過程において、副次的に発生するパルス状の高強度信号光成分（以下、光サージと呼ぶ）が、光部品の劣化要因となる（特許文献１参照）。
【０００３】
そこで、所定値以上の光パワーが入射されたときに、瞬時に反射率と透過率の少なくとも一方が不可逆的に変化する膜体を使用することにより、透過光又は反射光を減衰させて、光出力部への出力を遮断状態とすることができる光ヒューズが特許文献１におおいて開示されている。このような光ヒューズによれば、次段に配置された光部品を損傷から防止することができる。
【先行技術文献】
【特許文献】
【０００４】
【特許文献１】特開平１１−２７４５４７号公報
【発明の概要】
【発明が解決しようとする課題】
【０００５】
以下の分析は本発明において与えられる。
【０００６】
光通信システム等の運用時に、故障など何らかの要因によって送信側の光レベルが急変し、光レベルが高くなった場合に、特許文献１の光ヒューズによって、受信側の回路の損傷を防止することができる。しかしながら、一般に光ヒューズは、光サージを受信してから、光信号を遮断するまでに若干の時間遅れがある。したがって、その間、光サージは、後段に漏れ出して受信側の回路に対し、損傷を与える虞がある。
【０００７】
したがって、本発明の目的は、光ヒューズによって漏れ出た光サージに対し、受信側の回路における損傷を防止する光インタフェース装置を提供することにある。
【課題を解決するための手段】
【０００８】
本発明の１つのアスペクト（側面）に係る光インタフェース装置は、光ヒューズと、光減衰器とを、この順序で光の伝播経路に沿って備える。
【発明の効果】
【０００９】
本発明によれば、光ヒューズによって漏れ出た光サージに対し、受信側の回路における損傷を防止することができる。
【図面の簡単な説明】
【００１０】
【図１】本発明の第１の実施例に係る光インタフェース装置の構成を示すブロック図である。
【図２】本発明の第２の実施例に係る光インタフェース装置の構成を示すブロック図である。
【図３】本発明の第３の実施例に係る光インタフェース装置の構成を示すブロック図である。
【図４】本発明の第４の実施例に係る光伝送システムの構成を示すブロック図である。
【発明を実施するための形態】
【００１１】
本発明の実施形態に係る光インタフェース装置は、光ヒューズと、光減衰器とを、この順序で光の伝播経路に沿って備える。
【００１２】
光インタフェース装置において、光ヒューズの手前の伝播経路中に他の光減衰器をさらに備えるようにしてもよい。
【００１３】
光インタフェース装置において、光減衰器の先の伝播経路中に他の光ヒューズをさらに備えるようにしてもよい。
【００１４】
光伝送システムは、上記の光インタフェース装置を光送信装置と光受信装置との間に備えるようにしてもよい。
【００１５】
以上のような光インタフェース装置によれば、光ヒューズの後段に光減衰器が存在するため、光ヒューズの光信号の遮断までに後段に漏れた光を減衰させて受信側の回路を保護することができる。また、光送信側と光受信側との間に挿入されるので、光のインタフェースを持つ様々な装置に対しても適用することができる。
【実施例１】
【００１６】
図１は、本発明の第１の実施例に係る光インタフェース装置の構成を示すブロック図である。図１において、光インタフェース装置１０は、光ヒューズ１１と、光減衰器１２とを、この順序で光の伝播経路に沿って備える。光ヒューズ１１は、入力した光信号Ｓｏを通過させ光減衰器１２に出力する。光ヒューズ１１は、光ヒューズ１３に入力した光信号Ｓｏのレベルが急変し、入力レベルが高くなった場合に断線をさせ出力を停止させる。光減衰器１２は、入力した光信号をレベル一定量下げて減衰させ外部に出力する。なお、光減衰器１２は、可変もしくは固定的な値の光の減衰を行うものであってもよい。
【００１７】
このような光インタフェース装置１０によれば、光ヒューズ１１の後段に光減衰器１２が存在するため、光ヒューズ１１の光信号の遮断までに後段に漏れた光を減衰させて受信側の回路を保護することができる。
【実施例２】
【００１８】
図２は、本発明の第２の実施例に係る光インタフェース装置の構成を示すブロック図である。図２において、光インタフェース装置１０ａは、光減衰器１２ａと光減衰器１２とを、光ヒューズ１１を挟んで光の伝播経路に沿って備える。
【００１９】
このような光インタフェース装置１０ａによれば、図１の構成に対し、光ヒューズをはさむように２個の光減衰器を使用することで、光の伝播方向の制約がなくなる。したがって、一方の側からの光入力でも、他方の側からの光入力でも使用可能となる。なお、図２では、光減衰器１２ａに光信号Ｓｏが入力されるように図示しているが、これに限定されない。
【実施例３】
【００２０】
図３は、本発明の第３の実施例に係る光インタフェース装置の構成を示すブロック図である。図３において、光インタフェース装置１０ｂは、光ヒューズ１１と光ヒューズ１１ａとを、光減衰器１２を挟んで光の伝播経路に沿って備える。
【００２１】
このような光インタフェース装置１０ｂによれば、光減衰器の両側に光ヒューズを備えることで、第２の実施例と同様に光伝播の方向性がなくなる。なお、図３では、光ヒューズ１１に光信号Ｓｏが入力されるように図示しているが、これに限定されない。
【実施例４】
【００２２】
次に、以上で説明した光インタフェース装置を光伝送システムに適用した例について説明する。図４は、本発明の第４の実施例に係る光伝送システムの構成を示すブロック図である。図４において、光伝送システムは、光インタフェース装置１０（１０ａ、１０ｂ）を光送信装置２０と光受信装置３０との間に備える。
【００２３】
光送信装置２０中の光送信回路２１は、光信号Ｓｏを光インタフェース装置１０（１０ａ、１０ｂ）を介して光受信装置３０中の光受信回路３１に出力する。
【００２４】
通常、光伝送システムは、光受信装置３０の受信レベルに合わせるように光インタフェース装置１０（１０ａ、１０ｂ）で光受信装置３０の正常受信範囲になるように信号レベルを調整する。正常範囲にあるように調整された光信号は、光受信装置３０の光受信回路３１で受信される。
【００２５】
この状態で、光送信装置２０の光送信回路２１が故障するなどによって急激に光の送信レベルがあがってしまった場合、光インタフェース装置１０（１０ａ、１０ｂ）の内部にある光ヒューズを断線する。これによって、レベルが上がった光信号が光受信装置３０の光受信回路３１に出力する前に光インタフェース装置１０（１０ａ、１０ｂ）の出力を停止することができる。また、このとき断線するまでに漏れ出た光信号を光インタフェース装置１０（１０ａ、１０ｂ）の減衰器で減衰させることで、光受信回路３１を保護することができる。
【００２６】
なお、光送信装置２０が故障した場合、光送信装置２０中の光送信回路２１を正常なものに交換すると共に、光インタフェース装置１０（１０ａ、１０ｂ）を交換することにより元の状態に戻すことが可能になる。
【００２７】
このような光伝送システムにおいて、光信号のレベル急変時に受信部を保護し、保護により故障した部分の交換を容易に行うことができる。
【００２８】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００２９】
１０、１０ａ、１０ｂ  光インタフェース装置
１１、１１ａ  光ヒューズ
１２、１２ａ  光減衰器
２０  光送信装置
２１  光送信回路
３０  光受信装置
３１  光受信回路
【図１】
2010165860.tif 000003
【図２】
2010165860.tif 000004
【図３】
2010165860.tif 000005
【図４】
2010165860.tif 000006